(57)【特許請求の範囲】
【請求項１】
天板部と底板部と互いに隣合う側面部を有する角筒状の第１中空押出形材及び第２中空押出形材が互いに隣合って配置され、互いに接続されて形成されたフロアパネルのパネル構造であって、
前記第１中空押出形材は、前記底板部の底面の前記側面部側に前記天板部側に向かって前記底面より凹んだ第１凹み面が形成され、前記側面部の天板部側の端部に、前記天板部を水平方向に延長するように前記側面部より外側に突出して先端部が前記底面側に向かって折曲げられた部材の内側に形成された嵌め込み凹部を有し、前記側面部の底板部側の端部から前記側板部より外側に突出した第１突出部の下部に、前記第１凹み面より凹んだ第１段差部が形成され、
前記第２中空押出形材は、前記底板部の底面の前記側面部側に前記天板部側に向かって前記底面より凹んだ第２凹み面が形成され、前記側面部の天板部側の端部に、前記側面部より外側に突出した部材の先端部に天板部側に向かって折曲げられた嵌め込み凸部を有し、前記側面部の底板部側の端部から前記側板部より外側に突出して、前記第２凹み面と連続する下面を有する第２突出部の上部に第２段差部が形成され、
前記嵌め込み凹部に前記嵌め込み凸部が嵌め込まれると共に、前記第１凹み面と前記第２突出部の第２凹み面と連続する下面が同一平面上に隣り合って配置されるように前記第１段差部と前記第２段差部が接触して係合し、前記第１凹み面と前記第２突出部の第２凹み面と連続する下面の互いに隣接した部分を摩擦撹拌接合手段により接合することにより、前記第１中空押出形材と前記第２中空押出形材が接続され、
前記第１中空押出形材と前記第２中空押出形材のそれぞれは、その押出し断面の内部空洞中に、前記側面部の肉厚方向に対して傾いた方向の肉厚を有する補強板部の幅方向両端部が、前記底板部と前記側面部を連結する隅部の前記第１又は第２凹み面の近傍と、前記天板部の幅方向中央部のそれぞれに連結されるように形成され、
前記第１中空押出形材と前記第２中空押出形材を接続した後に、前記フロアパネルを必要な寸法に応じて、その幅方向に切断して形成する
ことを特徴とするパネル構造。
【請求項２】
天板部と底板部と互いに隣合う側面部を有する角筒状の第１中空押出形材及び第２中空押出形材が互いに隣合って配置され、互いに接続されて形成されたフロアパネルのパネル構造であって、
前記第１中空押出形材は、前記底板部の底面の前記側面部側に前記天板部側に向かって前記底面より凹んだ第１凹み面が形成され、前記側面部の天板部側の端部に、前記天板部を水平方向に延長するように前記側面部より外側に突出して先端部が前記底面側に向かって折曲げられた部材の内側に形成された第１嵌め込み凹部を有すると共に、前記側面部の底板部側の端部から前記側板部より外側に突出して先端部が前記底面側に向かって折曲げられた部材の内側に形成された第２嵌め込み凹部を有し、
前記第２中空押出形材は、前記底板部の底面の前記側面部側に前記天板部側に向かって前記底面より凹んだ第２凹み面が形成され、前記側面部の天板部側の端部から前記側面部より外側に突出した部材の先端部に前記天板部側に向かって折曲げられた第１嵌め込み凸部を有すると共に、前記側面部の底板部側の端部に、前記第２凹み面と連続する下面を有するように前記側板部より外側に突出した部材の先端部に前記天板部側に向かって折曲げられた第２嵌め込み凸部を有し、
天板部側において前記第１嵌め込み凹部に前記第１嵌め込み凸部が嵌め込まれると共に、側板部側において前記第１凹み面と、先端部に前記第２嵌め込み凸部を有する前記突出した部材の第２凹み面と連続する下面が同一平面上に隣り合って配置されるように前記第２嵌め込み凹部に前記第２嵌め込み凸部が嵌め込まれ、前記第１凹み面と、先端部に前記第２嵌め込み凸部を有する前記突出した部材の第２凹み面と連続する下面の互いに隣接した部分を摩擦撹拌接合手段により接合することにより、前記第１中空押出形材と前記第２中空押出形材が接続され、
前記第１中空押出形材と前記第２中空押出形材のそれぞれは、その押出し断面の内部空洞中に、前記側面部の肉厚方向に対して傾いた方向の肉厚を有する補強板部の幅方向両端部が、前記底板部と前記側面部を連結する隅部の前記第１又は第２凹み面の近傍と、前記天板部の幅方向中央部のそれぞれに連結されるように形成され、
前記第１中空押出形材と前記第２中空押出形材を接続した後に、前記フロアパネルを必要な寸法に応じて、その幅方向に切断して形成する
ことを特徴とするパネル構造。
【発明の詳細な説明】
【技術分野】
【０００１】
本発明は、例えば、フリーアクセスフロアに用いられるフロアパネル等のパネル構造に関するものである。
【背景技術】
【０００２】
フリーアクセスフロアに用いられるフロアパネルは、建築構造物のコンクリートを用いた基礎床面である第１の床部分の上方に空間を隔てて設けた第２の床部分を有して二重床構造を構成するフリーアクセスフロア構造において、その第２の床部分に用いられるものである。
【０００３】
従来のフロアパネルには、特許文献１の図１に示すように、内部に多数の補強板が一体成形された中空押出形材であって、その上面の平面形状が略正方形に形成された、支持脚３と共にフリーアクセスフロアを構成するフロアパネル２があった（特許文献１参照）。
【０００４】
この従来のフロアパネル２は、コンクリートを用いた基礎床面１上に立設された支持脚３により、その四隅部を下側から支持されるようになっていた。そしてフロアパネル２は、基礎床面１から上方に離れた水平面において、上から見て縦横二軸両方向に互いに隣合うように整列して、水平面上に複数配置されるようになっていた。
【０００５】
特許文献１の図１に示すように、従来のフロアパネル２は、その下方に床下空間を形成するようになっており、この床下空間に電気機器のコード等を配線することができる二重床構造になっていた。
【０００６】
そして、従来のフロアパネル２は、特許文献１の図２に示すように、互いに上下方向に対向するように所定の間隔をおいて上下に配置された平板状の天板部５及び底板部６と、これらの天板部５と底板部６とを連結するように、それらの間に垂直に立設された平板状の連結板部７とにより構成されていた。
【０００７】
この従来のフロアパネル２は、アルミニウム製の中空押出形材により形成されており、その天板部５と底板部６と連結板部７とが押出し成形により一体的に形成されるようになっていた。
【０００８】
このような従来のフロアパネル２は、アルミニウム製の中空構造になっており、その内部に複数の連結板部７を一体的に有する構造となっているため、その重量を軽いものにすることができると共に、その強度を強いものにすることができるようになっていた。
【０００９】
また、上記従来のフロアパネル２は、その天板部５と底板部６と連結板部７とが押出し成形により一体的に形成されるようになっているため、その製作を容易なものにすることができるようになっていた。
【先行技術文献】
【特許文献】
【００１０】
【特許文献１】実開平５−８３１６８号公報
【発明の概要】
【発明が解決しようとする課題】
【００１１】
しかしながら、上記特許文献１の図２に示す従来のフロアパネル２においては、その外形形状の全てを押出し成形により一体形成されるようになっていたので、このフロアパネル２の押出し成形に用いる押出装置の、押し出す材料を収納するコンテナや、材料押出し時に成形を行なうダイス（金型）等の各部品は、その外形寸法が大きなものになってしまう。
【００１２】
このため、フロアパネル２の押出し成形に用いる押出装置自体もその外形寸法が大きなものになってしまうため、小型な押出装置を使用する場合に比べてその装置や運転にかかる費用が著しく高くなってしまうという問題があった。
【００１３】
そこで本発明は、上記問題点に鑑みて、小型の押出装置を用いて成形することができると共に、軽量で、強度を有し、かつ安価な押出し形材を用いて作ることができるパネル構造を提供することを課題とするものである。
【課題を解決するための手段】
【００１４】
上記課題を解決するために、本発明によるパネル構造は、
天板部と底板部と互いに隣合う側面部を有する角筒状の第１中空押出形材及び第２中空押出形材が互いに隣合って配置され、互いに接続されて形成されたフロアパネルのパネル構造であって、
前記第１中空押出形材は、前記底板部の底面の前記側面部側に前記天板部側に向かって前記底面より凹んだ第１凹み面が形成され、前記側面部の天板部側の端部に、前記天板部を水平方向に延長するように前記側面部より外側に突出して先端部が前記底面側に向かって折曲げられた部材の内側に形成された嵌め込み凹部を有し、前記側面部の底板部側の端部から前記側板部より外側に突出した第１突出部の下部に、前記第１凹み面より凹んだ第１段差部が形成され、
前記第２中空押出形材は、前記底板部の底面の前記側面部側に前記天板部側に向かって前記底面より凹んだ第２凹み面が形成され、前記側面部の天板部側の端部に、前記側面部より外側に突出した部材の先端部に天板部側に向かって折曲げられた嵌め込み凸部を有し、前記側面部の底板部側の端部から前記側板部より外側に突出して、前記第２凹み面と連続する下面を有する第２突出部の上部に第２段差部が形成され、
前記嵌め込み凹部に前記嵌め込み凸部が嵌め込まれると共に、前記第１凹み面と前記第２突出部の第２凹み面と連続する下面が同一平面上に隣り合って配置されるように前記第１段差部と前記第２段差部が接触して係合し、前記第１凹み面と前記第２突出部の第２凹み面と連続する下面の互いに隣接した部分を摩擦撹拌接合手段により接合することにより、前記第１中空押出形材と前記第２中空押出形材が接続され、
前記第１中空押出形材と前記第２中空押出形材のそれぞれは、その押出し断面の内部空洞中に、前記側面部の肉厚方向に対して傾いた方向の肉厚を有する補強板部の幅方向両端部が、前記底板部と前記側面部を連結する隅部の前記第１又は第２凹み面の近傍と、前記天板部の幅方向中央部のそれぞれに連結されるように形成され、
前記第１中空押出形材と前記第２中空押出形材を接続した後に、前記フロアパネルを必要な寸法に応じて、その幅方向に切断して形成することを特徴とするものである。
【００１６】
また、上記課題を解決するために本発明によるパネル構造は、
天板部と底板部と互いに隣合う側面部を有する角筒状の第１中空押出形材及び第２中空押出形材が互いに隣合って配置され、互いに接続されて形成されたフロアパネルのパネル構造であって、
前記第１中空押出形材は、前記底板部の底面の前記側面部側に前記天板部側に向かって前記底面より凹んだ第１凹み面が形成され、前記側面部の天板部側の端部に、前記天板部を水平方向に延長するように前記側面部より外側に突出して先端部が前記底面側に向かって折曲げられた部材の内側に形成された第１嵌め込み凹部を有すると共に、前記側面部の底板部側の端部から前記側板部より外側に突出して先端部が前記底面側に向かって折曲げられた部材の内側に形成された第２嵌め込み凹部を有し、
前記第２中空押出形材は、前記底板部の底面の前記側面部側に前記天板部側に向かって前記底面より凹んだ第２凹み面が形成され、前記側面部の天板部側の端部から前記側面部より外側に突出した部材の先端部に前記天板部側に向かって折曲げられた第１嵌め込み凸部を有すると共に、前記側面部の底板部側の端部に、前記第２凹み面と連続する下面を有するように前記側板部より外側に突出した部材の先端部に前記天板部側に向かって折曲げられた第２嵌め込み凸部を有し、
天板部側において前記第１嵌め込み凹部に前記第１嵌め込み凸部が嵌め込まれると共に、側板部側において前記第１凹み面と、先端部に前記第２嵌め込み凸部を有する前記突出した部材の第２凹み面と連続する下面が同一平面上に隣り合って配置されるように前記第２嵌め込み凹部に前記第２嵌め込み凸部が嵌め込まれ、前記第１凹み面と、先端部に前記第２嵌め込み凸部を有する前記突出した部材の第２凹み面と連続する下面の互いに隣接した部分を摩擦撹拌接合手段により接合することにより、前記第１中空押出形材と前記第２中空押出形材が接続され、
前記第１中空押出形材と前記第２中空押出形材のそれぞれは、その押出し断面の内部空洞中に、前記側面部の肉厚方向に対して傾いた方向の肉厚を有する補強板部の幅方向両端部が、前記底板部と前記側面部を連結する隅部の前記第１又は第２凹み面の近傍と、前記天板部の幅方向中央部のそれぞれに連結されるように形成され、
前記第１中空押出形材と前記第２中空押出形材を接続した後に、前記フロアパネルを必要な寸法に応じて、その幅方向に切断して形成することを特徴とするものである。
【発明の効果】
【００１８】
このような本発明のパネル構造によれば、
互いに隣合う側面部を有する角筒状の中空押出形材の一方は、前記側面部の上下方向一端部に嵌め込み凹部を有し、かつ前記側面部の上下方向他端部に互いに係合する段差部の一方が形成され、
前記互いに隣合う中空押出形材の他方は、前記側面部の上下方向一端部に嵌め込み凸部を有し、かつ前記側面部の上下方向他端部に互いに係合する段差部の他方が形成され、
前記嵌め込み凹部に前記嵌め込み凸部が嵌め込まれると共に、前記段差部の一方と他方が係合した部分を摩擦撹拌接合手段により接合することにより、前記互いに隣合う中空押出形材が接続されて形成されたパネル構造であって、
前記互いに隣合う中空押出形材のそれぞれは、その押出し断面の内部空洞中に、前記側面部の肉厚方向に対して傾いた方向の肉厚を有する補強板部が、前記中空押出形材の長さ方向に沿って形成されていることにより、
小型の押出装置を用いて成形することができると共に、軽量で、強度を有し、かつ安価な押出し形材を用いてパネル構造を作ることができる。
【図面の簡単な説明】
【００１９】
【図１】本発明の第１の実施の形態に係るパネル構造を備えた、フリーアクセスフロアのフロアパネル２０の簡略斜視図である。
【図２】図１における中空押出形材２２の正面断面図である。
【図３】図１における中空押出形材２４の正面断面図である。
【図４】フロアパネル２０の製造方法を説明するための図であって、中空押出形材２２の嵌め込み凹部２２ｄに中空押出形材２４の嵌め込み凸部２４ｄの先端部を嵌合させた状態を示す正面断面図である。
【図５】やはりフロアパネル２０の製造方法を説明するための図であって、中空押出形材２２の嵌め込み凹部２２ｄに中空押出形材２４の嵌め込み凸部２４ｄを嵌合させると共に、段差部２２ｆに段差部２４ｆを係合させた状態を示す正面断面図である。
【図６】本発明の第２の実施の形態に係るパネル構造における中空押出形材６２の正面断面図である。
【図７】本発明の第２の実施の形態に係るパネル構造における中空押出形材６４の正面断面図である。
【図８】本発明の第２の実施の形態に係るパネル構造を備えた、フリーアクセスフロアのフロアパネル６０の摩擦撹拌接合前の状態を示す正面断面図である。
【発明を実施するための形態】
【００２０】
以下、本発明のパネル構造を実施するための形態について、図面に基づいて具体的に説明する。
【００２１】
図１ないし図５は、本発明の第１の実施の形態に係るパネル構造を備えた、フリーアクセスフロアのフロアパネル２０について説明するために参照する図である。なお、図１においては、図が煩雑になることを防ぐために、後述する補強板部３４，３６，４６，４８を省略して簡略に示している。
【００２２】
図１に示すように、フロアパネル２０は、略矩形の角筒状の２つの中空押出形材２２，２４の互いに隣合う側面部３０，４２同士が互いに嵌合されると共に、互いに接合されることにより構成されている。
【００２３】
すなわち、フロアパネル２０は、図１に示すように、中空押出形材２２，２４それぞれの互いに隣合う側面部３０，４２の図中上部において、中空押出形材２２の嵌め込み凹部２２ｄに、中空押出形材２４の嵌め込み凸部２４ｄが嵌め込まれて嵌合するようになっている。
【００２４】
また図１に示す、上記互いに隣合う側面部３０，４２の図中下部において、図２に示す中空押出形材２２の段差部２２ｆと、図３に示す中空押出形材２４の段差部２４ｆとが互いに接触して係合するようになっている。
【００２５】
中空押出形材２２，２４は、互いに係合した段差部２２ｆ，２４ｆ間を摩擦撹拌接合手段（Ｆｒｉｃｔｉｏｎ  Ｓｔｉｒ  Ｗｅｌｄｉｎｇ）により互いに接合されるようになっている。図１における黒い半円部分が、摩擦撹拌接合手段により接合された接合部Ｗである。
【００２６】
ここで、摩擦撹拌接合手段とは、例えば、特許第２７１２８３８号，第２７９２２３３号公報に記載されているように、略円柱形状の部分と、その先端部から同一軸線方向に突出するネジ棒状の突起部（以下、プローブと呼ぶ）とを有する工具の、そのプローブを軸線回りに回転させながらその先端を接合部材同士の接合部分を含む面、又はその近傍部の面にほぼ垂直に押し付ける。
【００２７】
このときの、回転するプローブと接合部材との間の摩擦熱で、接合部材を液状化手前まで軟化させると共に、この軟化した接合部材の肉厚内に前記プローブがその先端部から入り込んで、接合部材同士間において回転するプローブの撹拌作用により塑性流動を生じさせ、接合部材同士の接合部分の金属組織を練り混ぜることにより一体化させた後、温度降下により固化するような接合手段をいう。
【００２８】
このような接合手段により、フロアパネル２０は、中空押出形材２２，２４の側面部３０，４２の下端部同士が一体的に接合されており、その上面全体の平面形状が略正方形になっている。
【００２９】
そして、本実施の形態に係るパネル構造を備えたフロアパネル２０は、前記従来のフロアパネル２と同様に、コンクリートを用いた基礎床面１上に立設された支持脚３により、その四隅部を下側から支持されるようになっている。そして、このフロアパネル２０は、基礎床面１から上方に離れた水平面上の縦横二軸両方向に互いに隣合うように整列して、複数配置されるようになっている。
【００３０】
フロアパネル２０の中空押出形材２２は、図２に示すように、アルミニウム製の略角筒状の押出形材により形成されており、その押出し方向（図中紙面垂直方向）に所定の長さを有していて、その押出し方向に垂直な断面は略矩形の中空状に形成されている。
【００３１】
すなわち、中空押出形材２２は、図２中互いに上下方向に対向するように所定の間隔をおいて、上下に配置された平板状の天板部２６及び底板部２８と、天板部２６と底板部２８の幅方向（図中左右方向）両端部それぞれを連結するように、それらの間に垂直に伸びる平板状の側面部３０，３２とを備えている。
【００３２】
そして中空押出形材２２は、図２に示すようにその内部に、その底板部２８と側面部３０とを連結する隅部と、天板部２６の図中左右中央部との間に、その幅方向両端部が連結された補強板部３４を備えるようになっている。また、中空押出形材２２はその内部に、その底板部２８と側面部３２とを連結する隅部と、天板部２６の図中左右中央部との間に、その幅方向両端部が連結された補強板部３６を備えるようになっている。
【００３３】
そして、図２に示すように、中空押出形材２２は、その天板部２６と側面部３０とを連結する隅部に、天板部２６を水平方向に延長して側面部３０より外側に突出したその先端部が底板部２８側に向かって折れ曲がることにより、嵌め込み凹部２２ｄが形成されている。
【００３４】
また中空押出形材２２は、図２に示すように、その底板部２８と側面部３０とを連結する隅部に、その底板部２８の底面２２ｂから天板部２６側に向かって少し凹んだ凹み面２２ｃが形成されている。
【００３５】
そして、中空押出形材２２は、その底板部２８と側面部３０とを連結する隅部に、その側面部３０より外側に突き出した突出部２２ｅが形成されていると共に、その突出部２２ｅの下部に段差部２２ｆが形成されている。
【００３６】
そして、中空押出形材２２は、押出し成形により上述するような断面形状に一体的に形成されるようになっている。
【００３７】
図１，図３に示すフロアパネル２０の中空押出形材２４は、図２に示す中空押出形材２２と同様に、アルミニウム製の中空状の押出形材により形成されており、その押出し方向（図中紙面垂直方向）に所定の長さを有しており、その押出し方向に垂直な断面は略矩形状に形成されている。
【００３８】
すなわち、図３に示す中空押出形材２４は、図２に示す中空押出形材２２と同様に、互いに対向するように上下に配置された天板部３８及び底板部４０と、天板部３８と底板部４０の幅方向両端部それぞれを連結するように、それらの間に垂直に伸びる平板状の側面部４２，４４とを備えている。
【００３９】
また、図３に示す中空押出形材２４は、図２に示す中空押出形材２２の補強板部３４，３６と同様の補強板部４８，４６を備えるようになっている。
【００４０】
そして、図３に示すように、中空押出形材２４は、その天板部３８と側面部４２とを連結する隅部に、側面部４２より外側に突出したその先端部が天板部３８側に向かって折れ曲がることにより、嵌め込み凸部２４ｄが形成されている。そして、この中空押出形材２４の嵌め込み凸部２４ｄは、中空押出形材２２の嵌め込み凹部２２ｄに嵌合するようになっている。
【００４１】
中空押出形材２４は、その底板部４０と側面部４２とを連結する隅部に、その側面部４２より外側に突き出した突出部２４ｅが形成されている。そして、この突出部２４ｅの下面に、底板部４０の底面２４ｂから天板部３８側に向かって少し凹んだ凹み面２４ｃが形成されている。
【００４２】
中空押出形材２４は、その突出部２４ｅの上部に段差部２４ｆが形成されるようになっている。この中空押出形材２４の段差部２４ｆは、その嵌め込み凸部２４ｄが中空押出形材２２の嵌め込み凹部２２ｄに嵌合した際に、中空押出形材２２の段差部２２ｆに接触して係合するようになっている。そして、中空押出形材２４の突出部２４ｅの先端が、中空押出形材２２の段差部２２ｆから直角の当接面２２ｇに当接するようになっている。
【００４３】
そして、中空押出形材２４は、押出し成形により上述するような断面形状に一体的に形成されるようになっている。
【００４４】
図４及び図５は、本発明の第１の実施の形態に係るフロアパネル２０の製造方法について説明するために参照する図である。
【００４５】
図４に示すように、中空押出形材２２，２４を、それらの上面２２ａ，２４ａが図中下側に位置し、それらの下面２２ｂ，２４ｂが図中上側に位置するように上下逆さまに配置して、中空押出形材２２の嵌め込み凹部２２ｄに、中空押出形材２４の嵌め込み凸部２４ｄの先端部を嵌合させる。
【００４６】
そして、中空押出形材２４の嵌め込み凸部２４ｄの先端部が、中空押出形材２２の嵌め込み凹部２２ｄに完全に入り込むように、中空押出形材２４を図中時計回り方向に回動させる。
【００４７】
すると、図５に示すように、中空押出形材２２の嵌め込み凹部２２ｄに中空押出形材２４の嵌め込み凸部２４ｄが完全に嵌合する。このとき、中空押出形材２２の段差部２２ｆと中空押出形材２４の段差部２４ｆとは互いに接触して係合するようになっている。
【００４８】
またこのとき、中空押出形材２４の突出部２４ｅの先端が中空押出形材２２の段差部２２ｆから直角の当接面２２ｇに突き当たって接触するようになっており、このことにより中空押出形材２２の上面２２ａと中空押出形材２４の上面２４ａが同一平面上に連続すると共に、中空押出形材２２の底面２２ｂと中空押出形材２４の底面２４ｂも同一平面上に連続するようになっている。
【００４９】
また、図５に示すように、中空押出形材２２の凹み面２２ｃと中空押出形材２４の凹み面２４ｃが同一平面上に隣合って配置されている。そして、段差部２２ｆ，２４ｆが重なって互いに接触した部分に対応する凹み面２２ｃ，２４ｃの互いの隣接部に、摩擦撹拌接合手段の工具５０のプローブ５０ａをその軸線回りに回転させながら上方からほぼ垂直に押し付ける。
【００５０】
このとき、回転するプローブ５０ａと中空押出形材２２，２４との間の摩擦熱で、中空押出形材２２，２４を液状化手前まで軟化させると共に、この軟化した中空押出形材２２，２４の肉厚内にプローブ５０ａがその先端部から入り込んで、中空押出形材２２，２４間において回転するプローブ５０ａの撹拌作用により塑性流動を生じさせ、中空押出形材２２，２４の接合部分の金属組織を練り混ぜることにより一体化させた後、温度降下により固化する。
【００５１】
このような摩擦撹拌接合手段による接合により、図１に示すように、中空押出形材２２，２４が一体的に接合されて、それぞれの上面２２ａ，２４ａが上にくるような本来の状態に配置されて、上面全体の平面形状が略正方形であるフロアパネル２０を構成するようになっている。
【００５２】
このように、２つの中空押出形材２２，２４により１つのフロアパネル２０を構成するようになっているため、フロアパネル２０を構成する、中空押出形材２２，２４の押出し成形に用いる押出装置は、前記従来のフロアパネル２の押出し成形に用いる押出装置の略半分位の小型なもので済ますことができる。
【００５３】
また、中空押出形材２２，２４は、アルミニウム製の中空構造になっているため、その重量を軽いものにすることができると共に、それらの互いに隣合う側面部３０，４２同士を嵌合及び接合する構造となっていて、それぞれは補強板部３４，３６及び補強板部４６，４８を有しているので、その強度を強いものにすることができる。
【００５４】
また、中空押出形材２２，２４は、それぞれ凹み面２２ｃ，２４ｃの互いの隣接部から摩擦撹拌接合手段により接合されるようになっているため、接合部やその近傍が凹み面２２ｃ，２４ｃよりも多少盛り上がったりしても、それらの底板部２８，４０より外側にはみ出さない限り支障を来たすことはない。このため、フロアパネル２０は、中空押出形材２２，２４の接合部Ｗ（図１参照）の周辺近傍に研削や研磨等といった余計な加工をしなくても済む。
【００５５】
また、中空押出形材２２，２４それぞれの互いに隣合う側面部３０，４２の上部は互いに、摩擦撹拌接合手段による接合ではなくて単に嵌合されているだけのため、摩擦撹拌接合手段による接合箇所は互いに隣合う側面部３０，４２の下部だけで、上部には行われないので、摩擦撹拌接合手段による接合箇所をできるだけ少なくすることができる。
【００５６】
また、中空押出形材２２，２４それぞれは、押出し成形により形成された精度の高い平面状態をそのままフロアパネル２０の上面として利用することができる。
【００５７】
また、フロアパネル２０は、中空押出形材２２，２４それぞれの互いに隣合う側面部３０，４２において互いを接合するようになっており、さらに中空押出形材２２，２４に補強板部３４，４６がそれぞれ形成されているため、中空押出形材２２，２４の突出部２２ｅ，２４ｅそれぞれの、側面部３０，４２から突出する長さ寸法が短くとも、中空押出形材２２，２４の段差部２２ｆ，２４ｆが、摩擦接合手段による接合時に下方に向って加えられる押圧力に耐えることができるようになっている。
【００５８】
この場合さらに、中空押出形材２２，２４の段差部２２ｆ，２４ｆそれぞれは、中空押出形材２２，２４の互いに隣合う側面部３０，４２の近傍かつ、補強部材３４，４６の近傍に配置されるため、摩擦接合手段による接合時における段差部２２ｆ，２４ｆの破損や変形を防止することができ、中空押出形材２２，２４を確実に接合することができる。
【００５９】
以上に説明したように、本実施の形態に係るフロアパネル２０によれば、小型の押出装置を用いて成形することができると共に、軽量で、強度を有し、かつ安価な押出し形材を用いてパネル構造を作ることができる。
【００６０】
図６ないし図８は、本発明の第２の実施の形態に係るパネル構造を備えた、フリーアクセスフロアのフロアパネル６０について説明するために参照する図である。前記第１の実施の形態における同一の部品には同一の符号を付し、重複する構成の説明はなるべく省略する。
【００６１】
図６に示すように、本実施の形態における中空押出形材６２は、その底板部２８と側面部３０とを連結する隅部に、前記第１の実施の形態における中空押出形材２２の突出部２２ｅ及び段差部２２ｆの代わりに、前記中空押出形材２２の嵌め込み凹部２２ｄと同じ形状の嵌め込み凹部６２ａが形成されている点において、図２に示す前記第１の実施の形態における中空押出形材２２と異なるものである。
【００６２】
また、図７に示すように、本実施の形態における中空押出形材６４は、その底板部４０と側面部４２とを連結する隅部に、前記第１の実施の形態における中空押出形材２４の突出部２４ｅ及び段差部２４ｆの代わりに、前記中空押出形材２４の嵌め込み凸部２４ｄと同じ形状の嵌め込み凸部６４ａが形成されるようになっている点において、図３に示す前記第１の実施の形態における中空押出形材２４と異なるものである。
【００６３】
このため、図８に示すように、本実施の形態に係るパネル構造を備えたフリーアクセスフロアのフロアパネル６０は、中空押出形材６２の嵌め込み凹部２２ｄに中空押出形材６４の嵌め込み凸部２４ｄが嵌合した際に同時に、中空押出形材６２の嵌め込み凹部６２ａに中空押出形材６４の嵌め込み凸部６４ａが嵌合するようになっている。
【００６４】
そして、図８に示すように、中空押出形材６２，６４は、嵌め込み凹部６２ａと嵌め込み凸部６４ａとが互いに嵌合した部分に対応する凹み面２２ｃ，２４ｃの互いの隣接部が、摩擦接合手段による接合により一体的に接合されて、上面全体の平面形状が略正方形であるフロアパネル６０を構成するようになっている。
【００６５】
このような本実施の形態に係るフロアパネル６０によっても、前記第１の実施の形態に係るフロアパネル２０と同様の効果、すなわち、小型の押出装置を用いて成形することができると共に、軽量で、強度を有し、かつ安価な押出し形材を用いてパネル構造を作ることができる。
【００６６】
なお、前記第１の実施の形態に係るフロアパネル２０においては、その上面の平面形状が全体として略正方形になっていたが、その上面の平面形状は正方形に限定されず、長方形や他の形状に形成されるようになっていてもよい。
【００６７】
また、前記第１の実施の形態における中空押出形材２２，２４は、アルミニウム製の中空押出形材により形成されていたが、アルミニウム製の中空押出形材と同様に軽量で強度を有し、互いを接合することができるものであれば、他の製法や他の材料を用いてもよい。
【００６８】
また、前記第１の実施の形態に係るフロアパネル２０においては、予め所定の長さを有する中空押出形材２２，２４同士を接合するようになっていたが、中空押出形材２２，２４の側面部３０，４２同士を接合した後に、フロアパネル２０をその幅方向に切断することにより、その長さが所定の長さに定まるようになっていてもよい。
【符号の説明】
【００６９】
２０  フロアパネル
２２  中空押出形材
２２ａ  上面
２２ｂ  底面
２２ｃ  凹み面
２２ｄ  嵌め込み凹部
２２ｅ  突出部
２２ｆ  段差部
２２ｇ  当接面
２４  中空押出形材
２４ａ  上面
２４ｂ  底面
２４ｃ  凹み面
２４ｄ  嵌め込み凸部
２４ｅ  突出部
２４ｆ  段差部
２６  天板部
２８  底板部
３０，３２  側面部
３４，３６  補強板部
３８  天板部
４０  底板部
４２，４４  側面部
４６，４８  補強板部
５０  工具
５０ａ  突起部
６０  フロアパネル
６２  中空押出形材
６２ａ  嵌め込み凹部
６４  中空押出形材
６４ａ  嵌め込み凸部
Ｗ  接合部
【図１】
0005649465.tif 000002
【図２】
0005649465.tif 000003
【図３】
0005649465.tif 000004
【図４】
0005649465.tif 000005
【図５】
0005649465.tif 000006
【図６】
0005649465.tif 000007
【図７】
0005649465.tif 000008
【図８】
0005649465.tif 000009